【手続補正書】
【提出日】平成17年4月27日(2005.4.27)
【手続補正１】
【補正対象書類名】明細書
【補正対象項目名】特許請求の範囲
【補正方法】変更
【補正の内容】
【特許請求の範囲】
【請求項１】
左右一対のクローラ走行装置により茶畝を跨いでその両側の畝間を自走する乗用車体に、薬液タンクおよびこの薬液タンクに連通する多条用の起倒式ノズルパイプを有し、その起倒式ノズルパイプを茶樹上方に張り出して薬液散布を行う防除装置を備えた茶園用乗用型作業機において、
上記クローラ走行装置の前進方向後方位置、かつ、茶樹の幅方向両側に上記薬液タンクに連通する薬液噴霧ノズルを備え、上記薬液噴霧ノズルは、上記茶樹の裾部に対向することができる構成とされていることを特徴とする茶園用乗用型作業機。
【請求項２】
請求項１記載の茶園用乗用型作業機において、
上記薬液噴霧ノズルは、上記クローラ走行装置に連結した車体フレームに対して着脱可能な取付部材を介して上記茶樹の上下方向に摺動可能に支持されていることを特徴とする茶園用乗用型作業機。
【請求項３】
請求項１記載の茶園用乗用型作業機において、
上記薬液噴霧ノズルは、上記クローラ走行装置に連結した車体フレームの脚部にそれぞれ噴霧角度調整可能に配置されていることを特徴とする茶園用乗用型作業機。
【手続補正２】
【補正対象書類名】明細書
【補正対象項目名】０００８
【補正方法】変更
【補正の内容】
【０００８】
【課題を解決するための手段】
この目的を達成するため、請求項１記載の発明は、左右一対のクローラ走行装置により茶畝を跨いでその両側の畝間を自走する乗用車体に、薬液タンクおよびこの薬液タンクに連通する多条用の起倒式ノズルパイプを有し、その起倒式ノズルパイプを茶樹上方に張り出して薬液散布を行う防除装置を備えた茶園用乗用型作業機において、上記クローラ走行装置の前進方向後方位置、かつ、茶樹の幅方向両側に上記薬液タンクに連通する薬液噴霧ノズルを備え、上記薬液噴霧ノズルは、上記茶樹の裾部に対向することができる構成とされていることを特徴としている。
【手続補正３】
【補正対象書類名】明細書
【補正対象項目名】０００９
【補正方法】変更
【補正の内容】
【０００９】
請求項２記載の発明は、請求項１記載の茶園用乗用型作業機において、上記薬液噴霧ノズルは、上記クローラ走行装置に連結した車体フレームに対して着脱可能な取付部材を介して上記茶樹の上下方向に摺動可能に支持されていることを特徴としている。
【手続補正４】
【補正対象書類名】明細書
【補正対象項目名】００１０
【補正方法】変更
【補正の内容】
【００１０】
請求項３記載の発明は、請求項１記載の茶園用乗用型作業機において、上記薬液噴霧ノズルは、上記クローラ走行装置に連結した車体フレームの脚部にそれぞれ噴霧角度調整可能に配置されていることを特徴としている。
【手続補正５】
【補正対象書類名】明細書
【補正対象項目名】００１１
【補正方法】変更
【補正の内容】
【００１１】
【作用】
請求項１記載の発明では、茶樹上方から薬液散布を行う起倒式ノズルパイプを備えた防除装置に対して、クローラ走行装置の前進方向後方位置、かつ、茶樹の幅方向両側に薬液噴霧ノズルを装着することにより茶樹裾部に対して薬液の散布が行える。特に、起倒式ノズルパイプを用いた茶樹上方からの薬液散布に加えて薬液噴霧ノズルによる茶樹裾部からの薬液散布が行える。
【手続補正６】
【補正対象書類名】明細書
【補正対象項目名】００１２
【補正方法】変更
【補正の内容】
【００１２】
請求項２記載の発明では、クローラ走行装置に連結した車体フレームに対して着脱可能な取付部材により薬液噴霧ノズルが摺動可能に支持されているので、起倒式ノズルパイプを装備しただけの茶園用乗用型作業機械に対して薬液噴霧ノズルを後付けすることができ、しかも、取付部材に対して最も良好に薬液が茶樹裾部に散布できるように位置決めすることが可能になる。
【手続補正７】
【補正対象書類名】明細書
【補正対象項目名】００１３
【補正方法】変更
【補正の内容】
【００１３】
請求項３記載の発明では、薬液ノズルがクローラ走行装置に連結した車体フレームの前進方向後方の脚部にそれぞれ噴霧角度調整可能に配置されるので、クローラ走行装置の前進方向前方に位置する場合と違って、茶樹に触れることがなく、しかも、茶畝の幅方向で薬液の散布ムラを生じることなく茶樹の裾部に対して薬液を散布することができる。
【手続補正８】
【補正対象書類名】明細書
【補正対象項目名】００１９
【補正方法】変更
【補正の内容】
【００１９】
次に、乗用車体１に装備される前記防除装置について説明すると、注水装置１２は、図１および図２に示すように、乗用車体１の前部中央部に起立状態で設置され、上端部に左右のロックレバー１２ａを有する接続金具１２ｂが固定された注水パイプ１２ｃと、この注水パイプ１２ｃの下端部にＴ字管１２ｄを介して接続されたコック１２ｅ，１２ｅを有する左右の開閉バルブ１２ｆ，１２ｆと、各開閉バルブ１２ｆ，１２ｆにそれぞれ一端部が接続され、他端部がそれぞれ左右の薬液タンク１３，１３の前面上部に連通接続された左右の注水ホース１２ｇ，１２ｇとを備えている。
【手続補正９】
【補正対象書類名】明細書
【補正対象項目名】００２４
【補正方法】変更
【補正の内容】
【００２４】
なお、図３中の符号７ａは前記動力噴霧機７の作動，停止を切換え制御するテンションクラッチレバー、符号３６はエンジン４の吸気系を構成するエアクリーナ、符号３８はエンジン４の燃料タンク、図１，２中の符号３９は車体フレーム２の前部に付設された作業者の乗降用ステップ、図１中の符号３７はクローラ走行装置３，３の外側部に添設されたガイドパイプ、符号４０は操作ボックス９に付設されたエンジン４のスロットルレバーをそれぞれ示している。
【手続補正１０】
【補正対象書類名】明細書
【補正対象項目名】００２５
【補正方法】変更
【補正の内容】
【００２５】
一方、車体フレーム２におけるクローラ走行装置３側に延びる脚部には、茶樹の裾部に対する薬液噴霧を行うための噴霧ノズル５０が設けられている。
噴霧ノズル５０は、図３に示すように、車体フレーム２の脚部のうちで、運転席８の後方でいわゆる、クローラ装置３の前進方向後方に相当する位置の脚部で、しかも、茶畝幅方向両端に位置する脚部２ｂ，２ｅにそれぞれ配置されており、図５に示す構成を備えている。
図２および図５において、脚部２ｂ、２ｅには、その高さ方向に沿って複数箇所にネジ孔で構成された取付部２ｂ１、２ｅ１（図２参照）が形成されており、その取付部２ｂ１、２ｅ１には、図５に示すように、ブラケットで構成された取付部材５１がボルト５１Ｂにより締結固定されるようになっている。なお、図２および図５においては、脚部のうちの符号２ｂで示すもののみが示されている。
取付部材５１は、脚部２ｂ，２ｅよりも内側にパイプ状の挿通部５１Ａを一体的に有しており、この挿通部５１Ａには、後述する噴霧ノズル本体５２を取付可能な支持パイプ５３が摺動可能に挿通できるようになっている。支持パイプ５３は動力噴霧機７に連結されており、後述するノズル部５２Ｂが薬液タンク１３に連通するようになっている。
挿通部５１Ａには、内孔に向け貫通するボルト５４が設けられており、支持パイプ５３の外周を押圧することで動力噴霧機７に連結されて薬液タンク１３に連通可能に設けられている支持パイプ５３を所望の摺動位置で保持できるようになっている。なお、本実施例では、支持パイプ５３のうち、挿通部５１Ａ内で摺動する部分が真鍮などの金属部で構成されてボルト５４による押圧力を受けた際に変形しないようにされ、またこれ以外の部分が樹脂パイプなどの可撓性パイプを連結して構成されている。
支持パイプ５３の軸方向において挿通部５１Ａの下端から突出する位置には、噴霧ノズル本体５２が取り付けられている。本実施例では、噴霧ノズル本体５２が支持パイプ５３の軸方向に沿って２カ所に設けられている。
噴霧ノズル本体５２は、支持パイプ５３に形成されているネジ孔（図示されず）に対して締結されるナット５２Ａ１を基部に有するエルボ部５２Ａと、このエルボ部末端に連結されて図３に示すようにクローラ走行装置３の走行方向に沿って一対で設けられたノズル部５２Ｂとで構成され、ノズル部５２Ｂに連通するエルボ部５２Ａの位置には、絞りノブ５２Ｃが設けられている。
エルボ部５２Ａの基部に位置するナット５２Ａ１は、緩めた場合にノズル部５２Ｂの角度を変化させることができるようになっており、また、絞りノブ５２Ｃは、ノズル部５２Ｂからの薬液の噴霧量を調整できるようになっている。
【手続補正１１】
【補正対象書類名】明細書
【補正対象項目名】００２６
【補正方法】変更
【補正の内容】
【００２６】
本実施例は以上のような構成であるから、茶樹上方からの薬液散布は噴霧装置１４によって行われる一方、茶樹の裾部に対する薬液散布は、噴霧ノズル本体５２によって行われる。
すなわち、茶樹の裾部に対して薬液散布を行う場合には、噴霧ノズル本体５２を脚部２ｂ、２ｅに形成されている取付部２ｂ１、２ｅ１にそれぞれ設置する。この場合には、茶樹の裾部に対向できる位置に見合う取付部２ｂ１、２ｅ１の位置に対して取付部材５１をボルト５１Ｂにより締結し、さらに、ナット５２Ａ１の締結状態を調整してノズル部５２ｂの向きを所望の角度に調整する。さらに、茶樹の高さ方向でのノズル部５２Ｂの位置は、ボルト５４の締結状態を調整して支持パイプ５３を摺動させればよい。これにより、噴霧ノズル本体５２は、ノズル部５２Ｂを茶樹裾部に対向させることができるとともに、最も良好に薬液が茶樹裾部に散布できるように位置決めされる。
一方、ノズル部５２Ｂの位置決めが終了した状態では、支持パイプ５３に対して動力噴霧機７から薬液が供給されると、噴霧ノズル本体５２の絞りノブ５２Ｃを操作することによりノズル部５２Ｂから薬液を茶樹裾部に向け噴霧することができる。
薬液を噴霧するノズル部５２Ｂは、クローラ装置３の前進方向後方位置で、かつ、茶樹の幅方向両側で脚部の内側に配置されているので、クローラ装置３が走行した後に薬液散布することができ、しかも、クローラ装置３の走行方向前方に位置する場合と違って茶樹に直接触れることがなく、茶樹を損傷することがない状態で茶樹の裾部に対してムラなく薬液を散布することができる。特に茶樹の裾部は定期的に裾刈されているので、茶樹がむき出しになっているので、そのむき出し位置への位置決めが簡単に行われれば、むき出し位置に向け容易に薬液を直接散布することができる。
【手続補正１２】
【補正対象書類名】明細書
【補正対象項目名】００２８
【補正方法】変更
【補正の内容】
【００２８】
【発明の効果】
請求項１記載の発明によれば、茶樹上方から薬液散布を行う起倒式ノズルパイプを備えた防除装置に対して、クローラ走行装置の前進方向後方位置、かつ、茶樹の幅方向両側に薬液噴霧ノズルを装着することにより茶樹裾部に対して薬液の散布が行える。特に、起倒式ノズルパイプを用いた茶樹上方からの薬液散布に加えて薬液噴霧ノズルによる茶樹裾部からの薬液散布が行える。これにより、茶樹上方からだけでなく、茶樹裾部への薬液散布を容易に行えるようにすることができる。
【手続補正１３】
【補正対象書類名】明細書
【補正対象項目名】００２９
【補正方法】変更
【補正の内容】
【００２９】
請求項２記載の発明によれば、クローラ走行装置に連結した車体フレームに対して着脱可能な取付部材により薬液噴霧ノズルが摺動可能に支持されているので、起倒式ノズルパイプを装備しただけの茶園用乗用型作業機に対して薬液噴霧ノズルを後付けすることができ、しかも、取付部材に対して最も良好に薬液が茶樹裾部に散布できるように位置決めすることが可能になる。これにより、茶葉の密集状態に関係なく茶葉によって薬液が遮られることなく薬液散布が可能になる。
【手続補正１４】
【補正対象書類名】明細書
【補正対象項目名】００３０
【補正方法】変更
【補正の内容】
【００３０】
請求項３記載の発明によれば、薬液ノズルがクローラ走行装置に連結した車体フレームの前進方向後方の脚部にそれぞれ噴霧角度調整可能に配置されるので、クローラ走行装置の前進方向前方に位置する場合と違って、茶樹に触れることがなく、しかも、茶畝の幅方向で薬液の散布ムラを生じることなく茶樹の裾部に対して薬液を散布することができる。これにより、茶樹への損傷を与えることなく茶樹裾部への薬液散布が簡単に行えるようになる。
【手続補正１５】
【補正対象書類名】図面
【補正対象項目名】図５
【補正方法】変更
【補正の内容】
【図５】
1999299409.tif 000001